(57)【要約】【課題】無線ＬＡＮのアクセスポイントやクライアント端末の配置から、ＶｏＩＰ通話の通話品質を推定することを可能にする通話品質推定システム及び通話品質推定方法を提供する。【解決手段】通話品質推定システムは、アクセスポイント及びクライアント端末の配置を入力させる情報入力部１０と、対象アクセスポイントに対する干渉源アクセスポイントを特定する干渉源ＡＰ特定部３３と、干渉源クライアント端末を特定する干渉源端末特定部３５と、干渉源アクセスポイントの何れかに帰属するクライアント端末の台数を計数する干渉接続端末計数部３７と、得られた上記情報に基づいて、対象アクセスポイントに帰属して通話可能なクライアント端末の最大台数を導出する通話可能台数導出部４１と、を備えている。【選択図】  図１
2009044643.tif 000002
【特許請求の範囲】
【請求項１】
無線ＬＡＮの複数のアクセスポイントと複数のクライアント端末とを利用して行われるＶｏＩＰ通話の通話品質を推定する通話品質推定システムであって、
前記アクセスポイントの配置、及び前記クライアント端末の台数を入力させる情報入力手段と、
前記情報入力手段によって入力された前記配置及び台数に基づいて、前記複数のアクセスポイントのうちの所定の対象アクセスポイントに対し電波干渉を及ぼす干渉源であると推定される干渉源アクセスポイントを、他の前記アクセスポイントの中から特定する干渉源ＡＰ特定手段と、
前記情報入力手段によって入力された前記配置及び台数に基づいて、前記対象アクセスポイントに対し電波干渉を及ぼす干渉源であると推定される干渉源クライアント端末を、複数の前記クライアント端末の中から特定する干渉源端末特定手段と、
前記情報入力手段によって入力された前記配置及び台数に基づいて、前記干渉源ＡＰ特定手段で特定された前記干渉源アクセスポイントに帰属するクライアント端末の台数を計数する端末計数手段と、
前記干渉源ＡＰ特定手段で特定された前記干渉源アクセスポイントの台数、前記干渉源端末特定手段で特定された前記干渉源クライアント端末の台数、及び、前記端末計数手段で計数されたクライアント端末の台数に基づいて、前記対象アクセスポイントに帰属して通話可能な前記クライアント端末の最大台数を導出する通話可能台数導出手段と、
を備えたことを特徴とする通話品質推定システム。
【請求項２】
前記通話可能台数導出手段は、
前記干渉源アクセスポイントの台数、前記干渉源クライアント端末の台数、及び前記干渉源アクセスポイントに帰属するすべてのクライアント端末の台数と、前記対象アクセスポイントに帰属して通話可能な前記クライアント端末の最大台数と、を予め関連付けて格納する参照テーブルに基づいて、前記通話可能な前記クライアント端末の最大台数を求めることを特徴とする請求項１に記載の通話品質推定システム。
【請求項３】
前記干渉源ＡＰ特定手段は、
前記対象アクセスポイントと同一周波数チャンネルを用い、かつ、前記対象アクセスポイントで受信される強度が所定値以上となる電波を送信するアクセスポイントを、当該対象アクセスポイントの前記干渉源アクセスポイントとして特定することを特徴とする請求項１又は２に記載の通話品質推定システム。
【請求項４】
前記干渉源端末特定手段は、
前記対象アクセスポイントと同一周波数チャンネルを用い、かつ、前記対象アクセスポイントで受信される強度が所定値以上となる電波を送信するクライアント端末を、当該対象アクセスポイントの前記干渉源クライアント端末として特定することを特徴とする請求項１〜３の何れか１項に記載の通話品質推定システム。
【請求項５】
無線ＬＡＮの複数のアクセスポイントと複数のクライアント端末とを利用して行われるＶｏＩＰ通話の通話品質を推定する通話品質推定方法であって、
前記アクセスポイントの配置、及び前記クライアント端末の台数を入力させる情報入力ステップと、
前記情報入力ステップによって入力された前記配置及び台数に基づいて、前記複数のアクセスポイントのうちの所定の対象アクセスポイントに対し電波干渉を及ぼす干渉源であると推定される干渉源アクセスポイントを、他の前記アクセスポイントの中から特定する干渉源ＡＰ特定ステップと、
前記情報入力ステップによって入力された前記配置及び台数に基づいて、前記対象アクセスポイントに対し電波干渉を及ぼす干渉源であると推定される干渉源クライアント端末を、複数の前記クライアント端末の中から特定する干渉源端末特定ステップと、
前記情報入力ステップによって入力された前記配置及び台数に基づいて、前記干渉源ＡＰ特定ステップで特定された前記干渉源アクセスポイントに帰属するクライアント端末の台数を計数する端末計数ステップと、
前記干渉源ＡＰ特定ステップで特定された前記干渉源アクセスポイントの台数、前記干渉源端末特定ステップで特定された前記干渉源クライアント端末の台数、及び、前記端末計数ステップで計数されたクライアント端末の台数に基づいて、前記対象アクセスポイントに帰属して通話可能な前記クライアント端末の最大台数を導出する通話可能台数導出ステップと、
を備えたことを特徴とする通話品質推定方法。
【発明の詳細な説明】
【技術分野】
【０００１】
本発明は、無線ＬＡＮの複数のアクセスポイントと複数のクライアント端末とを利用して行われるＶｏＩＰ通話の通話品質を推定する通話品質推定システム及び通話品質推定方法に関するものである。
【背景技術】
【０００２】
従来の無線ＬＡＮの設計方法としては、例えば、特許文献１に記載のものが知られている。この設計方法では、クライアントにおけるレスポンスと電波の干渉の問題を考慮して最適なアクセスポイントとクライアントの配置を決定している。また、一般的には、無線ＬＡＮ設計におけるアクセスポイントの置局は、それぞれのアクセスポイントからの受信レベルが一定のエリアで一定以上の受信レベルとなるように設計され、同一周波数チャネル（あるいは干渉する周波数チャネル）を用いるアクセスポイント同士は、互いに一定距離を離して配置される。
【特許文献１】特開２００４−３０４２５５号公報
【特許文献２】特許３４３９３９６号公報
【特許文献３】特開昭６２−１７３８３５号公報
【発明の開示】
【発明が解決しようとする課題】
【０００３】
しかしながら、データ通信のように遅延が許容可能な通信においては、上記の思想で設計された無線ＬＡＮでもある程度満足な通信が可能であるが、ＶｏＩＰ通信のようにリアルタイム性が要求される通信においては、機器同士の電波干渉を原因としたパケットロス等による通話品質の劣化や通話の切断が生じやすい。従って、従来方法でシステム設計した場合には、収容するクライアント端末数を過大に見積もってしまうことになり、設計された最大数に近い音声通信クライアントを実際のシステムに導入すると、通話品質の劣化や通信断が生じるおそれがある。よって、ＶｏＩＰ通話が用いられる無線ＬＡＮにおいては、通話品質をも考慮しながら機器配置を行う必要があり、このような通話品質を無線ＬＡＮの設計段階でシミュレーションできることが望まれる。
【０００４】
そこで、本発明は、無線ＬＡＮのアクセスポイントやクライアント端末の配置から、ＶｏＩＰ通話の通話品質を推定することを可能にする通話品質推定システム及び通話品質推定方法を提供することを目的とする。
【課題を解決するための手段】
【０００５】
本発明の通話品質推定システムは、無線ＬＡＮの複数のアクセスポイントと複数のクライアント端末とを利用して行われるＶｏＩＰ通話の通話品質を推定する通話品質推定システムであって、アクセスポイントの配置、及びクライアント端末の台数を入力させる情報入力手段と、情報入力手段によって入力された配置及び台数に基づいて、複数のアクセスポイントのうちの所定の対象アクセスポイントに対し電波干渉を及ぼす干渉源であると推定される干渉源アクセスポイントを、他のアクセスポイントの中から特定する干渉源ＡＰ特定手段と、情報入力手段によって入力された配置及び台数に基づいて、対象アクセスポイントに対し電波干渉を及ぼす干渉源であると推定される干渉源クライアント端末を、複数のクライアント端末の中から特定する干渉源端末特定手段と、情報入力手段によって入力された配置及び台数に基づいて、干渉源ＡＰ特定手段で特定された干渉源アクセスポイントに帰属するクライアント端末の台数を計数する端末計数手段と、干渉源ＡＰ特定手段で特定された干渉源アクセスポイントの台数、干渉源端末特定手段で特定された干渉源クライアント端末の台数、及び、端末計数手段で計数されたクライアント端末の台数に基づいて、対象アクセスポイントに帰属して通話可能なクライアント端末の最大台数を導出する通話可能台数導出手段と、を備えたことを特徴とする。
【０００６】
この通話品質推定システムでは、まず、各アクセスポイント及び各クライアント端末の配置が入力される。そして入力された配置に基づき、対象アクセスポイントに対し、電波干渉源であると推定される干渉源アクセスポイント及び干渉源クライアント端末が特定される。更に、上記干渉源アクセスポイントに帰属するクライアント端末の台数が計数される。そして、これらの情報に基づき、他のアクセスポイントとの干渉の影響、クライアント端末との干渉の影響、及び干渉源アクセスポイントに帰属するクライアント端末の影響を反映させて、対象アクセスポイントに帰属して通話可能なクライアント端末の最大台数が導かれる。従って、この最大台数と、実際に当該対象アクセスポイントに帰属すると予想されるクライアント端末の台数と、を比較することができ、通話品質の推定が可能になる。
【０００７】
この場合、通話可能台数導出手段は、干渉源アクセスポイントの台数、干渉源クライアント端末の台数、及び干渉源アクセスポイントに帰属するすべてのクライアント端末の台数と、対象アクセスポイントに帰属して通話可能なクライアント端末の最大台数と、を予め関連付けて格納する参照テーブルに基づいて、通話可能なクライアント端末の最大台数を求めることとしてもよい。
【０００８】
また、干渉源ＡＰ特定手段は、対象アクセスポイントと同一周波数チャンネルを用い、かつ、対象アクセスポイントで受信される強度が所定値以上となる電波を送信するアクセスポイントを、当該対象アクセスポイントの干渉源アクセスポイントとして特定することとしてもよい。
【０００９】
また、干渉源端末特定手段は、対象アクセスポイントと同一周波数チャンネルを用い、かつ、対象アクセスポイントで受信される強度が所定値以上となる電波を送信するクライアント端末を、当該対象アクセスポイントの干渉源クライアント端末として特定することとしてもよい。
【００１０】
本発明の通話品質推定方法は、無線ＬＡＮの複数のアクセスポイントと複数のクライアント端末とを利用して行われるＶｏＩＰ通話の通話品質を推定する通話品質推定方法であって、アクセスポイントの配置、及びクライアント端末の台数を入力させる情報入力ステップと、情報入力ステップによって入力された配置及び台数に基づいて、複数のアクセスポイントのうちの所定の対象アクセスポイントに対し電波干渉を及ぼす干渉源であると推定される干渉源アクセスポイントを、他のアクセスポイントの中から特定する干渉源ＡＰ特定ステップと、情報入力ステップによって入力された配置及び台数に基づいて、対象アクセスポイントに対し電波干渉を及ぼす干渉源であると推定される干渉源クライアント端末を、複数のクライアント端末の中から特定する干渉源端末特定ステップと、情報入力ステップによって入力された配置及び台数に基づいて、干渉源ＡＰ特定ステップで特定された干渉源アクセスポイントに帰属するクライアント端末の台数を計数する端末計数ステップと、干渉源ＡＰ特定ステップで特定された干渉源アクセスポイントの台数、干渉源端末特定ステップで特定された干渉源クライアント端末の台数、及び、端末計数ステップで計数されたクライアント端末の台数に基づいて、対象アクセスポイントに帰属して通話可能なクライアント端末の最大台数を導出する通話可能台数導出ステップと、を備えたことを特徴とする。
【００１１】
この通話品質推定方法では、まず、各アクセスポイント及び各クライアント端末の配置が入力される。そして入力された配置に基づき、対象アクセスポイントに対し、電波干渉源であると推定される干渉源アクセスポイント及び干渉源クライアント端末が特定される。更に、上記干渉源アクセスポイントに帰属するクライアント端末の台数が計数される。そして、これらの情報に基づき、他のアクセスポイントとの干渉の影響、クライアント端末との干渉の影響、及び干渉源アクセスポイントに帰属するクライアント端末の影響を反映させて、対象アクセスポイントに帰属して通話可能なクライアント端末の最大台数が導かれる。従って、この最大台数と、実際に当該対象アクセスポイントに帰属すると予想されるクライアント端末の台数と、を比較することができ、通話品質の推定が可能になる。
【発明の効果】
【００１２】
本発明の通話品質推定システム及び通話品質推定方法によれば、無線ＬＡＮのアクセスポイントやクライアント端末の配置から、ＶｏＩＰ通話の通話品質を推定することが可能になる。
【発明を実施するための最良の形態】
【００１３】
以下、図面を参照しつつ本発明に係る通話品質推定システムの好適な実施形態について詳細に説明する。
【００１４】
図１に示す通話品質推定システム１は、無線ＬＡＮを利用したＶｏＩＰ通話内線システムを建物内に構築しようとする際に、無線ＬＡＮ設備の設計に先立ってＶｏＩＰ通話の通話品質をシミュレーションするシステムである。図２に示すように、このようなＶｏＩＰ通話内線システム２００にあっては、建物内に配置される複数の無線ＬＡＮアクセスポイントＡＰ１〜ＡＰｍ、及び建物内において上記アクセスポイントの何れかに帰属しながら無線ＬＡＮに接続される複数のクライアント端末Ｔ１〜Ｔｎが用いられる。
【００１５】
再び図１に示すように、この通話品質推定システム１は、シミュレーションに必要な情報を外部から入力させる情報入力部１０と、入力された情報に基づき推定される通話品質の演算を行う演算部３０と、演算により得られたシミュレーションの結果を外部に出力する情報出力部５０と、を備えている。
【００１６】
情報入力部１０は、建物設計図入力部１１と、アクセスポイント情報入力部１３と、クライアント端末情報入力部１５と、機器設定パラメータ情報入力部１７と、を備えている。情報入力部１０の上記各部の機能・動作については後述する。演算部３０は、情報入力部１０により外部から入力された各情報に基づいて各演算を行う通話中端末配置部３１、干渉源ＡＰ特定部３３、干渉源端末特定部３５、干渉接続端末計数部３７、及び通話可能台数導出部４１を備えている。演算部３０の上記各部の機能・動作については後述する。
【００１７】
ここで、図３を参照し、通話品質推定システム１の物理的な構成について説明する。図３に示すように、通話品質推定システム１は、物理的には、ＣＰＵ１０１、主記憶装置であるＲＡＭ１０２及びＲＯＭ１０３、ハードディスク等の補助記憶装置１０５、入力デバイスであるキーボード及びマウス等の入力装置１０６、ディスプレイ、プリンタ等の出力装置１０７、ネットワークカード等のデータ送受信デバイスである通信モジュール１０４などを含むコンピュータシステムとして構成されている。図１に示す情報入力部１０、演算部３０、情報出力部５０、及び各機能部１１〜１７、３１〜４１等は、図２に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。
【００１８】
以下、再び図１を参照し、通話品質推定システム１の各要素の機能を説明する。
【００１９】
情報入力部１０の上記建物設計図入力部１１は、ＶｏＩＰ通話内線システムを構築しようとする建物の設計図をＣＡＤ（Ｃｏｍｐｕｔｅｒ  Ａｉｄｅｄ  Ｄｅｓｉｇｎ）により入力させる。アクセスポイント情報入力部１３は、建物内における無線ＬＡＮアクセスポイントの設置位置を上記建物設計図上に入力させる。クライアント端末情報入力部１５は、ＶｏＩＰ通話内線システムで用いられるクライアント端末が存在可能なエリア（以下、「端末存在エリア」という）Ａを上記建物設計図上に入力させると共に、この端末存在エリアに存在するクライアント端末の台数の情報を入力させる。更に、機器設定パラメータ情報入力部１７は、アクセスポイント及びクライアント端末の機器名称といった機器設定の各種パラメータを入力させる。
【００２０】
演算部３０の通話中端末配置部３１は、入力された台数の上記クライアント端末の中で、ある瞬間に通話中であるクライアント端末（以下、「通話中クライアント端末」という）の台数を推定すると共に、この通話中クライアント端末の配置を仮定する。干渉源ＡＰ特定部３３は、情報入力部１０で入力された各アクセスポイントに対し、自己との電波干渉が発生すると予想される他のアクセスポイント（以下、「干渉源アクセスポイント」という）を特定する。干渉源端末特定部３５は、情報入力部１０で入力された各アクセスポイントに対し、自己との電波干渉が発生すると予想される通話中クライアント端末（以下、「干渉源端末」という）を特定する。干渉接続端末計数部３７は、上記干渉源アクセスポイントのうちの何れかに帰属して通話中であるクライアント端末（以下、「干渉接続端末」という）の合計の台数を特定する。情報出力部５０は、演算部３０で推定された各アクセスポイント毎の通話品質についての情報を、ディスプレイ表示又はプリントアウトにより外部に出力する。
【００２１】
続いて、図１及び図４を参照し、通話品質推定システム１による通話品質推定処理について詳細に説明する。この通話品質推定処理は、上述した情報入力部１０、演算部３０及び情報出力部５０の協働により行われる。
【００２２】
最初に、通話品質推定システム１の情報入力部１０が、通話品質の推定に必要な情報を、ユーザに入力させる。まず、建物設計図入力部１１は、ＶｏＩＰ内線システムを構築しようとする建物の建物設計図をＣＡＤ（Ｃｏｍｐｕｔｅｒ  Ａｉｄｅｄ  Ｄｅｓｉｇｎ）により入力させ（図４のＳ４０１）、図５に示すように、ディスプレイ１０７上に表示させる。続いて、アクセスポイント情報入力部１３は、この建物内に設置される無線ＬＡＮのアクセスポイントの配置を、上記建物設計図上に入力させる（Ｓ４０２）。
【００２３】
次に、クライアント端末情報入力部１５は、端末存在エリアＡを上記建物設計図上に入力させ、更に、この端末存在エリア内で利用される予定のクライアント端末の台数を入力させる（Ｓ４０３）。次に、機器設定パラメータ情報入力部１７は、アクセスポイント及びクライアント端末の機器名称や、種々の設定パラメータを入力させる（Ｓ４０４）。なお、ここで入力させる設定パラメータの一例としては、無線ＬＡＮ規格、利用チャネル、Ｐｏｗｅｒ  Ｓａｖｅ、無線伝送速度等の無線ＬＡＮに関する設定、コーデックタイプ、パケット送信間隔等のＶｏＩＰに関する設定、アクセスポイントおよびクライアント端末の独自機能に関する設定等がある。この設定パラメータは、ＶｏＩＰ通話内線システム２００の通話品質に影響を与えるパラメータを選定するのが好ましい。
【００２４】
以上のような入力処理により、システム１のディスプレイ１０７には、図５に示すような画面が表示される。なお、この画面の例では、端末存在エリア内に２つのアクセスポイントと２０個のクライアント端末とが存在している。
【００２５】
続いて、演算部３０の通話中端末配置部３１が、上述の入力情報に基づいて、通話中クライアント端末の台数を推定し、これらの通話中クライアント端末の配置を仮定する。（Ｓ４０５）このように、通話中クライアント端末の台数・配置を仮定するための方法の一例として、次に示す方法が考えられる。すなわち、すべてのクライアント端末の中で通話中であるクライアント端末の存在割合を外部から入力させ、すべてのクライアント端末台数と入力された“存在割合”との積で、通話中クライアント端末の台数を推定することができる。また、通話中クライアント端末の配置の仮定は、端末存在エリアＡを複数のセルに分割し、分割されたセルに一様に分布するように通話中クライアント端末をランダムに配置することにより可能である。なお、端末存在エリアＡ内において、通話中クライアント端末が位置する確率がセル毎に異なる場合においては、セル毎の通話中クライアント端末の存在確率を入力させて、更に厳密に通話中クライアント端末の配置仮定を行ってもよい。
【００２６】
次に、干渉源ＡＰ特定部３３が、あるアクセスポイントが送信する電波を他のアクセスポイントで受信する場合のＲＳＳＩ（Ｒｅｃｅｉｖｅｄ  ＳｉｇｎａｌＳｔｒｅｎｇｔｈ  Ｉｎｄｉｃａｔｏｒ）を、各アクセスポイントＡＰ１〜ＡＰｍにおけるすべての組み合わせにおいて算出する（Ｓ４０６）。例えば、ｍ台のアクセスポイントが存在する場合、出力される計算結果は、図６に示すようなｍ×ｍのマトリックスで表されることになる。なお、図６の表中に示された「＜ＡＰａ−ＡＰｂ>」は、ａ番目のアクセスポイントＡＰａが送信する電波を、ｂ番目のアクセスポイントＡＰｂにおいて受信する場合のＲＳＳＩを表している。このＳ４０６の処理を実行するためには、アクセスポイントが送信する電波を他のアクセスポイントにおいて受信する場合のＲＳＳＩを算出するソフトウェアが干渉源ＡＰ特定部３３に組み込まれても良いし、干渉源ＡＰ特定部３３が、一般的に市販されている無線ＬＡＮの電波伝搬シミュレートソフトウェアとの連携により処理を行ってもよい。
【００２７】
次に、干渉源端末特定部３５は、アクセスポイントが送信する電波を通話中クライアント端末が受信した場合のＲＳＳＩを、各アクセスポイントと各通話中クライアント端末のすべての組み合わせについて算出する（Ｓ４０７）。例えば、ｍ台のアクセスポイントとｎ台の通話中クライアント端末が存在する場合、出力される計算結果は、図７に示すようなｍ×ｎのマトリックスで表されることになる。なお、図７の表中に示された＜ＡＰａ−Ｔｂ＞は、ａ番目のアクセスポイントＡＰａが送信する電波を、ｂ番目の通話中クライアント端末Ｔｂにおいて受信する場合のＲＳＳＩを表している。上記のＳ４０６と同様に、このＳ４０７の処理を実行するためには、アクセスポイントが送信する電波を通話中クライアント端末において受信する場合のＲＳＳＩを算出するソフトウェアが干渉源端末特定部３５に組み込まれても良いし、干渉源端末特定部３５が、一般的に市販されている無線ＬＡＮの電波伝搬シミュレートソフトウェアとの連携により処理を行ってもよい。
【００２８】
続いて、干渉源ＡＰ特定部３３は、上記Ｓ４０７で算出したＲＳＳＩ（図７）を用いて、通話中クライアント端末が帰属しているアクセスポイントの推定を実施する。（ステップＳ４０８）ここでは、通話中クライアント端末が、各アクセスポイントＡＰ１〜ＡＰｍから受信する電波の中で、最も大きいＲＳＳＩであるアクセスポイントに帰属すると仮定する。そして、その帰属するアクセスポイント名称とそのＲＳＳＩを、各通話中クライアント端末毎に抽出する。加えて、各通話中クライアント端末が帰属するアクセスポイントの利用チャネルに基づいて、各通話中クライアント端末の利用チャネルも抽出する。
【００２９】
例えば、図７に記述されたクライアント端末Ｔ１の場合は、クライアント端末Ｔ１の行に示されたＲＳＳＩ（＜ＡＰ１−Ｔ１＞、＜ＡＰ２−Ｔ１＞、・・・、＜ＡＰｍ−Ｔ１＞）の中で、最大値であるセルを選択し、そのセルにおけるアクセスポイント名称とＲＳＳＩを抽出する。また、そのアクセスポイントの利用チャネルを、当該クライアント端末の利用チャネルとする。以上の処理をすべてのクライアント端末において実施すると、図８に例示するように、各通話中クライアント端末に対して、帰属先アクセスポイントと利用チャネルを示す出力結果が得られる。
【００３０】
更に、干渉源ＡＰ特定部３３は、図８の出力結果を利用し、各アクセスポイントＡＰ１〜ＡＰｍに帰属している通話中クライアント端末の台数を算出する。この出力結果の一例を、図９に示している。続いて、ステップＳ４０８で算出されるＲＳＳＩ（図８）から、アクセスポイント−クライアント端末間の通信において利用される無線伝送速度を推定する（ステップＳ４０９）。ここでは、図１０に示すようなＴｒａｎｓｍｉｓｓｉｏｎ  ｒａｔｅ  Ｔａｂｌｅが利用され、このＴｒａｎｓｍｉｓｓｉｏｎ  ｒａｔｅ  Ｔａｂｌｅにおいて設定された基準に従って、各通信の無線伝送速度を推定する。このＳ４０９の処理の出力結果の一例を、図１１に示している。
【００３１】
なお、図１０に示すａ，ｂ，ｍ，ｎ，ｏ，ｐ，ｙ，ｚは定数であり、それぞれの関係は、ａ＞ｂ＞ｍ＞ｎ、ｏ＞ｐ＞ｙ＞ｚである。また、図１０におけるＲＳＳＩと無線伝送速度の関係は以下の通りである。
・ＲＳＳＩがａ以上である場合、伝送速度はｏ［Ｍｂｐｓ］。
・ＲＳＳＩがａ未満かつｂ以上の場合、伝送速度はｐ［Ｍｂｐｓ］。
・ＲＳＳＩがｍ未満かつｎ以上の場合、伝送速度はｚ［Ｍｂｐｓ］。
・ＲＳＳＩがｎ未満の場合、クライアント端末は通信不可。
【００３２】
続いて、干渉源ＡＰ特定部３３は、各アクセスポイント（対象アクセスポイント）に対する干渉源アクセスポイントを、図６を利用して特定する（ステップＳ４１０）。ここで、干渉源アクセスポイントを推定する基準は、次の通りである。すなわち、対象アクセスポイントと同一周波数チャネルを利用するアクセスポイントであり、かつ、対象アクセスポイントにおいて受信されるＲＳＳＩが予め設定された設定値以上の値となるような電波を送信するアクセスポイントであるものが、当該対象アクセスポイントに対する干渉源アクセスポイントであると推定される。
【００３３】
例えば、アクセスポイントＡＰ１と同一チャネルである１チャネルを利用するアクセスポイントであり、かつ｛＜ＡＰ１−ＡＰ１＞、＜ＡＰ２−ＡＰ１＞、＜ＡＰ３−ＡＰ１＞、．．．、＜ＡＰｍ−ＡＰ１＞｝の中で、アクセスポイント１において受信するＲＳＳＩが設定値（ＲＳＳＩ＿Ｉｎｔｅｒｆｅｒｅｎｃｅ＿ＡＰ）以上の値となる電波を送信するアクセスポイントが、アクセスポイントＡＰ１に対する干渉アクセスポイントと推定される。以上の手順により、干渉源ＡＰ特定部３３は、すべてのアクセスポイントＡＰ１〜ＡＰｍに対して干渉源アクセスポイントの特定を実行する。
【００３４】
また、干渉接続端末計数部３７は、それぞれのアクセスポイントに対する干渉源アクセスポイント台数の合計、及び干渉源アクセスポイントに帰属している通話中クライアント端末（干渉接続端末）の台数の合計を、それぞれのアクセスポイントに対して出力する。加えて、干渉接続端末が利用している無線伝送速度の最小値を、それぞれのアクセスポイントに関連付けて出力する。この処理の出力結果の一例を、図１２に示す。
【００３５】
続いて、干渉源端末特定部３５は、各アクセスポイント（対象アクセスポイント）に対する干渉源端末を、図７を利用して特定する（ステップＳ４１１）。ここで、干渉源端末を推定する基準は、次の通りである。すなわち、対象アクセスポイントと同一周波数チャネルを利用する通話中クライアント端末であり、かつ、対象アクセスポイントが送信する電波を、予め設定された設定値以上のＲＳＳＩで受信するクライアント端末であるものが、当該対象アクセスポイントに対する干渉源端末であると推定される。
【００３６】
例えば、クライアント端末Ｔ１が干渉源端末として推定される対象アクセスポイントは、クライアント端末Ｔ１と同一周波数チャネルを利用するアクセスポイントであり、かつ｛＜ＡＰ１−Ｔ１＞、＜ＡＰ２−Ｔ１＞、＜ＡＰ３−Ｔ１＞、．．．、＜ＡＰｍ−Ｔ１＞｝の中で、クライアント端末Ｔ１で受信するＲＳＳＩが、設定値（ＲＳＳＩ＿Ｉｎｔｅｒｆｅｒｅｎｃｅ＿ｔｅｒｍｉｎａｌ）以上の値となる電波を送信しているアクセスポイントである。以上の手順を経て、干渉源端末特定部３５は、すべてのアクセスポイントＡＰ１〜ＡＰｍに対して干渉源端末の特定を実施する。また、干渉源端末の台数の合計、及び干渉源端末が利用する無線伝送速度の最小値を、それぞれのアクセスポイントに関連付けて出力する。これらの出力結果の一例を図１３に示す。
【００３７】
最後に、通話可能台数導出部４１は、特定された干渉源アクセスポイントと干渉源端末に基づいて、各アクセスポイントＡＰ１〜ＡＰｍが形成する無線エリアの通話品質を推定する（Ｓ４１２）。このＳ４１２の処理においては、図１４に示すようなＱｏＳ  Ｃｏｎｖｅｒｓｉｏｎ  Ｔａｂｌｅ５１が利用される。このＱｏＳ  Ｃｏｎｖｅｒｓｉｏｎ  Ｔａｂｌｅ５１は、対象アクセスポイントに対応する干渉源アクセスポイントの台数と、干渉源端末の台数と、干渉接続端末の台数と、をパラメータとして、当該対象アクセスポイントに帰属してＶｏＩＰ通話が可能なクライアント端末の最大の台数が示されたものである。すなわち、このテーブルにおいて上記３つのパラメータから指定されるセルに書かれた数値は、対象アクセスポイントが前述の３つのパラメータで指定されるような干渉を受けた場合において、その対象アクセスポイント配下において通話可能なクライアント端末の台数（Ｍａｘｉｍｕｍ  Ａｃｃｅｓｓ  Ｎｕｍｂｅｒ）を示す。
【００３８】
なお、演算部３０において、このようなＱｏＳ  Ｃｏｎｖｅｒｓｉｏｎ  Ｔａｂｌｅは、前述のＳ４０４の処理で入力された情報（アクセスポイントおよびクライアント端末の機器名称、設定パラメータ等のＶｏＩＰ内線システムの通話品質に影響する設定パラメータ）、または、Ｓ４０９の処理で推定された無線伝送速度で指定されるすべての動作環境に対応可能なものが、それぞれ事前に計算され準備されている。そして、その中から、Ｓ４０９において推定された無線伝送速度、Ｓ４０４において入力されたＶｏＩＰ内線システムの通話品質に影響する設定パラメータに基づいて、Ｓ４１２で採用するＱｏＳ  Ｃｏｎｖｅｒｓｉｏｎ  Ｔａｂｌｅが選択される。なお、ＱｏＳ  Ｃｏｎｖｅｒｓｉｏｎ  Ｔａｂｌｅを計算によって作成することが困難な場合は、いくつかの実測データからの推定によって作成することも可能である。
【００３９】
その後、各対象アクセスポイントに対して、干渉源アクセスポイントの台数と、干渉源端末の台数と、干渉接続端末の台数と、の３パラメータに基づいて、ＱｏＳ  Ｃｏｎｖｅｒｓｉｏｎ  Ｔａｂｌｅ５１を参照することで、Ｍａｘｉｍｕｍ  Ａｃｃｅｓｓ  Ｎｕｍｂｅｒを導き出す。次に、導かれたＭａｘｉｍｕｍ  Ａｃｃｅｓｓ  Ｎｕｍｂｅｒと、対象アクセスポイントに帰属する通話中クライアント端末の台数（図９参照）とを比較する。
【００４０】
そして、通話中クライアント端末の台数が、Ｍａｘｉｍｕｍ  Ａｃｃｅｓｓ  Ｎｕｍｂｅｒ以下である場合は、対象アクセスポイントが形成する無線エリアに位置するクライアント端末の通話品質は良好であると判定し、それ以外の場合には、通話品質は劣化すると判定し、判定結果を出力する。このＳ４１２の処理による出力結果の一例を図１５に示す。なお、図１５に示すような出力結果は、ディスプレイ表示されてもよく、プリントアウトされてもよい。
【００４１】
以上説明した通話品質推定システム１の処理により、建物内に配置した場合のアクセスポイントおよびクライアント端末などの無線ＬＡＮ機器同士の干渉を考慮し、各アクセスポイントが形成する無線エリアにおけるクライアント端末による通話品質を、事前にシミュレーションすることができる。
【００４２】
そして、このようなシミュレーションの結果、通話品質が劣化すると予想される場合には、端末存在エリアＡに配置するクライアント端末数を削減したり、またはアクセスポイントの配置を変更するなどして上記プロセスを繰り返すことにより、一定品質を確保可能なアクセスポイント配置と最大収容クライアント端末台数を決定すればよい。このように、通話品質推定システム１の利用により、ＶｏＩＰ内線システムにおける通話品質を事前に察知することが可能であるため、通話品質を担保したＶｏＩＰ内線システムを簡易に構築可能となり、システム構築に伴う時間とコストを削減可能である。
【００４３】
また、この通話品質推定システム１によれば、他の無線ＬＡＮ推定法では不可能であったような通話品質を担保したＶｏＩＰ内線システムを設計することが可能となる。従来の無線ＬＡＮデータ通信を想定した設計手法をそのままＶｏＩＰ通信に適用するとすれば、特に複数のフロアをカバーするようなオフィス利用においては過多に無線アクセスポイントを設置し、さらに送信パワーを高出力化する傾向が強く、コストを上昇させてしまう上に、むしろ音声断などのトラブルを誘発することが多かった。これに対し、通話品質推定システム１を用いた設計のような音声通信に焦点を合わせた設計では、むしろ無線アクセスポイント数を削減してその結果収容クライアント端末台数を増加させたり、アクセスポイント台数はそのままでも送信出力を絞ってアクセスポイントの配置を見直すことにより、従来以上の収容クライアント端末台数を確保することが可能となる。
【図面の簡単な説明】
【００４４】
【図１】本発明に係る通話品質推定システムの一実施形態を示す機能ブロック図である。
【図２】本発明に係る通話品質推定システムが利用され設計されるＶｏＩＰ通話内線システムの一例を示す機能ブロック図である。
【図３】図１の通話品質推定システムのハードウエア構成を示すブロック図である。
【図４】図１の通話品質推定システムによる通話品質推定処理を示すフローチャートである。
【図５】通話品質推定システムの処理において表示される入力画面の一例を示す図である。
【図６】各アクセスポイント同士の間のＲＳＳＩを示す表の一例である。
【図７】通話品質推定システムの処理において生成される表であり、各アクセスポイントと各通話中クライアント端末との間のＲＳＳＩを示す表の一例である。
【図８】通話品質推定システムの処理において生成される表であり、各通話中クライアント端末の帰属アクセスポイント等を示す表の一例である。
【図９】通話品質推定システムの処理において生成される表であり、各アクセスポイントの帰属中の通話中クライアント端末の台数等を示す表の一例である。
【図１０】通話品質推定システムの処理において利用される表であり、ＲＳＳＩと無線伝送速度とを対応させる表の一例である。
【図１１】通話品質推定システムの処理において生成される表であり、各通話中クライアント端末の帰属アクセスポイント等を示す表の一例である。
【図１２】通話品質推定システムの処理において生成される表であり、各アクセスポイントの干渉源アクセスポイント等を示す表の一例である。
【図１３】通話品質推定システムの処理において生成される表であり、各アクセスポイントの干渉源端末等を示す表の一例である。
【図１４】通話品質推定システムの処理において利用される表であり、３つのパラメータとMaximum Access Numberとを関連付けるＱｏＳ  Ｃｏｎｖｅｒｓｉｏｎ  Ｔａｂｌｅの一例である。
【図１５】通話品質推定システムの処理において出力される表であり、各アクセスポイントのMaximum Access Number、通話品質等を示す表の一例である。
【符号の説明】
【００４５】
１…通話品質推定システム、１０…情報入力部（情報入力手段）、１３…アクセスポイント情報入力部、１５…クライアント端末情報入力部、３３…干渉源ＡＰ特定部（干渉源ＡＰ特定手段）、３５…干渉源端末特定部（干渉源端末特定手段）、３７…干渉接続端末計数部（端末計数手段）、４１…通話可能台数導出部（通話可能台数導出手段）、５１…ＱｏＳ  Ｃｏｎｖｅｒｓｉｏｎ  Ｔａｂｌｅ（参照テーブル）、Ａ…端末存在エリア、ＡＰ１〜ＡＰｍ…アクセスポイント、Ｔ１〜Ｔｎ…クライアント端末。
【図１】
2009044643.tif 000003
【図２】
2009044643.tif 000004
【図３】
2009044643.tif 000005
【図４】
2009044643.tif 000006
【図５】
2009044643.tif 000007
【図６】
2009044643.tif 000008
【図７】
2009044643.tif 000009
【図８】
2009044643.tif 000010
【図９】
2009044643.tif 000011
【図１０】
2009044643.tif 000012
【図１１】
2009044643.tif 000013
【図１２】
2009044643.tif 000014
【図１３】
2009044643.tif 000015
【図１４】
2009044643.tif 000016
【図１５】
2009044643.tif 000017